(57)【特許請求の範囲】
【請求項１】
締結部材を控えるための控え金具であって、締結工具に係合可能な回転頭部を有する吊設ボルトと、前記締結部材を螺合させて控えるネジ孔部およびこのネジ孔部の軸線方向に延出されて前記回転頭部を狭持してなる２本のアーム部を備えた吊設フレームとを有しており、前記各アーム部が前記回転頭部の側面において軸部材により回動自在に軸支されている、前記控え金具。
【請求項２】
前記回転頭部の後端面には、前記ネジ孔部の内周径より小さい開口のリセスがその中心を前記ネジ孔部の中心と略一致させるように形成されている、請求項１に記載の控え金具。
【請求項３】
締結部材を控えるための控え金具であって、締結工具に係合可能な外周形状を有する吊設ナットと、前記締結部材を螺合させて控えるネジ孔部およびこのネジ孔部の軸線方向に延出されて前記吊設ナットを狭持してなる２本のアーム部を備えた吊設フレームとを有しており、前記各アーム部が前記吊設ナットの側面において軸部材により回動自在に軸支されている、前記控え金具。
【請求項４】
前記軸部材がタッピングネジで構成されているとともに、このタッピングネジのネジ山を備えるネジ軸部の断面形状が非円形に形成されている、請求項１から請求項３のいずれかに記載の控え金具。
【請求項５】
前記吊設フレームを前記吊設ボルトまたは前記吊設ナットの軸方向に対して略直角方向にまで回動させた場合に、露出した前記吊設ボルトの後端部または露出した前記吊設ナットの後端部が前記締結工具に係合可能となる長さを備えている、請求項１から請求項４のいずれかに記載の控え金具。
【発明の詳細な説明】
【技術分野】
【０００１】
本発明は、天井や壁面に締結部材を吊り下げる、取り付けるまたは控えるために前記天井等と前記締結部材との間に設けられる控え金具に関するものである。
【背景技術】
【０００２】
従来、コンクリートスラブに吊り天井を固定する場合や雨樋から壁に沿って配置された配管を壁に固定する場合、前記コンクリートスラブ等に設置されたインサートナットや後付けのアンカーナットに前記締結部材を直接螺合させて固定している。
【０００３】
しかし、前記インサートナット等に直接的に前記締結部材を固定する方法では、前記締結部材の支持角度を調節することができない。そこで、これまでに、前記締結部材の支持角度を調節することのできる控え金具に関する発明が種々提案されている。
【０００４】
例えば、特開２００５−１８０６０７号公報では、構造体にビス等のファスナーで固定される上吊支体と、締結部材を吊支するための連結ボルトが取り付けられる下吊支体とを備えており、前記上吊支体および前記下吊支体が、金属板を１枚の本体部と２枚の側板部とからなる断面コ字状に折り曲げて形成されたものであるとともに、互いに相手側に向かって開口するように配置され、かつ相対的に回動可能となるようにピン等で連結されている、吊り金具が提案されている（特許文献１）。
【０００５】
また、特開２００９−２８７６１５号公報では、吊り支持用のナットと吊ボルトとの間に設置して前記吊り支持用のナットに対する前記吊ボルトの垂直および斜め吊りを自在としたジョイント金具であって、前後方向に断面逆Ｕ字状ないし断面逆Ｖ字状をなすとともにその頂部に長孔を設けた天壁を有する金具本体と、前記金具本体の長孔にボルト軸部を挿通するとともにボルト頭部の上向き裏面に前記ボルト頭部からボルト軸部に向けて傾斜面ないし湾曲面をなした回転支持部を有する支持ボルトと、前記金具本体の下端に固定した固定ナットとを備えてなる、ジョイント金具が提案されている（特許文献２）。
【先行技術文献】
【特許文献】
【０００６】
【特許文献１】特開２００５−１８０６０７号公報
【特許文献２】特開２００９−２８７６１５号公報
【発明の概要】
【発明が解決しようとする課題】
【０００７】
しかしながら、特許文献１に記載された発明においては、上吊支体および下吊支体のいずれもが金属板を折り曲げて形成されたフレーム構造であるため、金属板を折り曲げた方向と同方向からの力に対する耐力が弱く、衝撃を受けると折れ曲がるという問題がある。
【０００８】
また、特許文献１および特許文献２に記載された発明は、ファスナーや支持ボルトを天井等に固定するためにソケットレンチ、メガネレンチ、スパナ等の締結工具を回転頭部に嵌める際に、下吊支体や金具本体が邪魔となり、前記締結工具を使用することができないという問題がある。
【０００９】
さらに、特許文献１および特許文献２に記載された発明は、締結部材に連結する吊りボルトを任意の角度において固定することができないため、実用上、不便である。
【００１０】
本発明は、以上のような問題点を解決するためになされたものであって、ソケットレンチ、メガネレンチ、スパナ等の締結工具によって締結することができるとともに、耐衝撃性に強く、さらには締結部材を任意の角度で固定することができる、控え金具を提供することを目的としている。
【課題を解決するための手段】
【００１１】
本発明に係る控え金具は、締結部材を控えるための控え金具であって、締結工具に係合可能な回転頭部を有する吊設ボルトと、前記締結部材を螺合させて控えるネジ孔部およびこのネジ孔部の軸線方向に延出されて前記回転頭部を狭持してなる２本のアーム部を備えた吊設フレームとを有しており、前記各アーム部が前記回転頭部の側面において軸部材により回動自在に軸支されている。
【００１２】
また、本発明の一態様として、前記回転頭部の後端面には、前記ネジ孔部の内周径より小さい開口のリセスがその中心を前記ネジ孔部の中心と略一致させるように形成されていてもよい。
【００１３】
本発明に係る控え金具は、締結部材を控えるための控え金具であって、締結工具に係合可能な外周形状を有する吊設ナットと、前記締結部材を螺合させて控えるネジ孔部およびこのネジ孔部の軸線方向に延出されて前記吊設ナットを狭持してなる２本のアーム部を備えた吊設フレームとを有しており、前記各アーム部が前記吊設ナットの側面において軸部材により回動自在に軸支されている。
【００１４】
また、本発明の一態様として、前記軸部材がタッピングネジで構成されているとともに、このタッピングネジのネジ山を備えるネジ軸部の断面形状が非円形に形成されていてもよい。
【００１５】
さらに、本発明の一態様として、前記吊設フレームを前記吊設ボルトまたは前記吊設ナットの軸方向に対して略直角方向にまで回動させると、前記吊設ボルトの後端部または前記吊設ナットの後端部が露出して、前記締結工具に係合可能となる長さを備えていてもよい。
【発明の効果】
【００１６】
本発明によれば、ソケットレンチ、メガネレンチ、スパナ等の締結工具によって締結することができるとともに、耐衝撃性に強く、さらには締結部材を任意の角度で固定することができる。
【図面の簡単な説明】
【００１７】
【図１】本発明に係る控え金具の第一実施形態を示す正面図である。
【図２】本第一実施形態の控え金具を示す平面図である。
【図３】図１の縦断面図である。
【図４】本第一実施形態において、吊設フレームを吊設ボルトの軸方向に対して略直角方向にまで回動させた状態を示す図である。
【図５】図１の右側面図である。
【図６】吊設フレームにおけるネジ孔部の他の実施形態を示す断面図である。
【図７】本第一実施形態における軸部材を示す、（ａ）左側面図、（ｂ）正面図および（ｃ）右側面図である。
【図８】本第一実施形態の控え金具の組み付け方法を示す模式図である。
【図９】本第一実施形態の控え金具を回転頭部の後端部を露出させることで、天井のインサートナットに螺合させた状態を示す使用状態図である。
【図１０】本第一実施形態において四角レンチ等のビットをネジ孔部から挿通させてリセスに係合させた状態を示す使用状態図である。
【図１１】本第一実施形態における吊設フレームの回動域の例を示す模式図である。
【図１２】本第一実施形態において吊設フレームを任意の角度で固定し、そのネジ孔部に締結部材を控えるための連結ボルトを螺合させた状態を示す使用状態図である。
【図１３】本発明に係る控え金具の第二実施形態を示す正面図である。
【図１４】図１３の平面図である。
【図１５】図１３の縦断面図である。
【図１６】本第二実施形態において、吊設フレームを吊設ナットの軸方向に対して略直角方向にまで回動させた状態を示す図である。
【図１７】本第二実施形態において吊設フレームを任意の角度で固定し、そのネジ孔部に締結部材を控えるための連結ボルトを螺合させた状態を示す使用状態図である。
【発明を実施するための形態】
【００１８】
以下、本発明に係る控え金具の第一実施形態について図面を用いて説明する。
【００１９】
本第一実施形態における控え金具１Ａは、図１および図２に示すように、締結工具に係合可能な回転頭部２１を有する吊設ボルト２と、この吊設ボルト２の回転頭部２１に回動自在に支持される吊設フレーム３とを有する。以下、各構成について説明する。
【００２０】
吊設ボルト２は、天井や壁面等に設けられたインサートナットや後付けのアンカーナット等のインサートアンカー１０に螺合させるためのものであり、図１および図２に示すように、ソケットレンチ、メガネレンチ、スパナ等の締結工具に係合可能な回転頭部２１を有している。本第一実施形態における吊設ボルト２は、回転頭部２１の断面形状が六角形である、いわゆる六角ボルトである。また、当該吊設ボルト２の回転頭部２１は、以下の特徴を有する。
【００２１】
まず、回転頭部２１は、吊設フレーム３を支持するための軸部材支持孔２２が形成されている。本第一実施形態おける軸部材支持孔２２は、図３に示すように、前記回転頭部２１の軸方向に対して略直角方向に貫通して形成されている。
【００２２】
また、回転頭部２１は、軸方向に対して後端部側が長く形成されている。具体的には、図４に示すように、吊設フレーム３を吊設ボルト２の軸方向に対して略直角方向にまで回動させた場合に、当該回転頭部２１の後端部の全体が前記吊設フレーム３から露出して、締結工具に係合可能となる長さを備えている。これにより、控え金具１Ａをインサートナット等に螺合させる場合に、露出した回転頭部２１の後端部に締結工具を係合させることができ、前記吊設フレーム３が邪魔になることなく締結作業が行えるようになっている。
【００２３】
また、回転頭部２１の後端面には、後述するネジ孔部３１の内周径より小さい開口のリセス２３がその中心を前記ネジ孔部３１の中心に略一致させて形成されている。本第一実施形態におけるリセス２３は、図３および図５に示すように、開口形状および横断面形状が略正方形状に形成されており、四角ビット等の締結工具を嵌入させて、締結作業が行えるようになっている。
【００２４】
なお、回転頭部２１の断面形状は、六角形のものに限定されるものではなく、締結工具に合わせて四角形や１２角形等から適宜選択してよい。また、軸部材支持孔２２は、回転頭部２１を貫通するものに限定されるものではなく、回転頭部２１の強度を考慮して、中心部が残るように所定の深さの穴を軸対称位置に配置したものであってもよい。さらに、回転頭部２１の後端面のリセス２３は、略正方形状のものに限定されるものではなく、六角形レンチ、ヘクスローブレンチ、プラスドライバーおよびマイナスドライバー等の任意の締結工具を嵌め入れ可能な形状から適宜選択してよい。
【００２５】
次に吊設フレーム３について説明する。吊設フレーム３は、図１および図２に示すように、締結部材を螺合させて控えるネジ孔部３１と、このネジ孔部３１から軸線に沿って延出された２本のアーム部３２，３２とを有する。本第一実施形態における吊設フレーム３は、前記２本のアーム部３２，３２を含むフレーム体３３と、このフレーム体３３の内側に固定されてネジ孔部３１となる六角ナット３４とから構成されている。
【００２６】
フレーム体３３は、長尺状の板材からなり、この板材を略コの字型に屈曲することで２本のアーム部３２，３２が形成されている。アーム部３２は、前記軸部材支持孔２２を中心として前記ネジ孔部３１を回動させる際の腕となるものであり、図１および図３に示すように、回転頭部２１を挟持するように前記回転頭部２１の対角面の幅と略同一間隔になるように構成されている。また、一対のアーム部３２，３２には、軸部材４を回転頭部２１の軸部材支持孔２２に挿通させるための挿通孔３５が設けられている。
【００２７】
ネジ孔部３１となる六角ナット３４は、市販の六角ナットである。この六角ナット３４は、アーム部３２の基端側に配置されており、フレーム体３３をかしめることで固定されている。また、フレーム体３３には、前記六角ナット３４に螺合されるボルト等を挿通させるための孔が形成されている。
【００２８】
なお、ネジ孔部３１は、六角ナット３４からなるものに限定されるものではなく、雌ネジ孔を有するものから適宜選択してよく、例えば、図６に示すように、フレーム体３３にネジ孔を成形加工してなるものであってもよい。
【００２９】
そして、当該吊設フレーム３は、軸部材４によって回転頭部２１の側面において回動自在に軸支される。本第一実施形態における軸部材４は、図７に示すように、組み付けの作業工程において軸部材支持孔２２へのネジ立ての必要のないタッピングネジが採用されており、締結に要するトルク低減のため、ネジ山を備えるネジ軸部４１の断面形状が非円形に形成されている。よって、当該軸部材４は、図８に示すように、各アーム部３２，３２で挟持させた回転頭部２１を、前記アーム部３２の挿通孔３５に挿通させるとともに、軸部材支持孔２２にネジ立てを行いながら締結される。これにより吊設ボルト２と吊設フレーム３とが、一体的に組み付けられる。
【００３０】
なお、軸部材４は、タッピングネジに限定されるものではなく、第二実施形態における図１３から図１５に示すように単純なピンによるものや、図示しないが、ボルトおよびナットからなるファスナー等から適宜選択してよい。
【００３１】
次に、本第一実施形態の控え金具１Ａにおける各構成の作用について説明する。
【００３２】
まず、図９に示すように、吊設フレーム３を吊設ボルト２の軸方向に対して略直角方向にまで回動させて、回転頭部２１の後端部の全体を露出させる。そして、露出した回転頭部２１の後端部にソケットレンチ、メガネレンチ、スパナ等の締結工具を係合させて、天井に設けられたインサートアンカー１０等に螺合させる。
【００３３】
また、本第一実施形態におけるリセス２３は、開口の大きさがネジ孔部３１の内周径より小さく形成されているため、前記リセス２３に係合させる四角レンチ等のビットを前記ネジ孔部３１から挿通させることができる。よって、図１０に示すように、四角レンチ等のビットを前記ネジ孔部３１から挿通させてリセス２３に嵌め入れることで、吊設フレーム３を吊設ボルト２の軸方向に対して略直角方向に回動させなくても締結作業が行える。
【００３４】
次に、図１１に示すように、吊設フレーム３は、軸部材４を中心として任意の角度まで回動され、軸部材４を締め付けることにより所望の角度で固定される。このとき、図１および図３に示すように、アーム部３２と、回転頭部２１とが面接触するため、その摩擦力により回転方向に対して強固に固定される。また、回転頭部２１の耐力が高いため、アーム部３２に負荷がかかっても折れ曲がり難い。なお、吊設フレーム３の回動域は、図１１に示すように、約１８０度を限度とするものではなく、１８０度を超えて回動させることができる。
【００３５】
そして、図１２に示すように、ネジ孔部３１に締結部材や、締結部材を連結する連結ボルト１１を螺合させることにより、所望する締結部材を任意の角度で吊り下げる、取り付けるまたは控えることができる。
【００３６】
以上のような本第一実施形態の控え金具１Ａによれば、以下の効果を得ることができる。
１．吊設フレーム３を吊設ボルト２の回転頭部に対して自由自在に回動させることができる。
２．吊設フレーム３に干渉することなく吊設ボルト２の回転頭部２１をソケットレンチ、メガネレンチ、スパナ等の締結工具に係合させることが可能であるため、通常のボルトを締結するようにインサートアンカー１０等に螺合させることができる。
３．リセス２３を用いることで吊設フレーム３を吊設ボルト２の軸方向に対して略直角方向に回動させなくてもインサートアンカー１０等に螺合することができる。
４．軸部材４に非円形型のタッピングネジを用いることにより、吊設ボルト２と吊設フレーム３との組み付けが容易になるとともに、任意の角度で固定することもできる。
５．前記吊設フレーム３が前記吊設ボルト２の回転頭部２１を挟持しているため耐衝撃性を高くすることができる。
【００３７】
次に、本発明に係る控え金具の第二実施形態について図１３から図１７を用いて説明する。なお、本第二実施形態の控え金具１Ｂのうち、上述した第一実施形態の構成と同等または相当する構成については、再度の説明を省略する。
【００３８】
本第二実施形態の控え金具１Ｂは、図１３および図１４に示すように、吊設ナット５と、この吊設ナット５に回動自在に支持される吊設フレーム３とを有する。つまり、本第二実施形態における控え金具１Ｂは、第一実施形態における吊設ボルト２に変えて、吊設ナット５を設けたものである。
【００３９】
吊設ナット５は、高ナットや長ナット等のいわゆるナットであり、市販のものを利用することができる。吊設ナット５は、回転頭部２１と同様、図１５に示すように、側面に吊設フレーム３を支持するための軸部材支持孔２２を有している。
【００４０】
また、吊設ナット５は、図１６に示すように、吊設フレーム３を吊設ナット５の軸方向に対して略直角方向にまで回動させた場合に、当該吊設ナット５の後端部の全体が前記吊設フレーム３から露出して、締結工具に係合可能となる長さを備えている。
【００４１】
本第二実施形態における軸部材４は、図１３から図１５に示すように、ピンからなる。このピン４は、一端部がアーム部３２の挿通孔３５および吊設ナット５の軸部材支持孔２２より大径を有するように形成されており、他端側を塑性変形させることで、前記挿通孔３５および前記軸部材支持孔２２に係止させて、組み付けられるようになっている。なお、本第二実施形態の軸部材４をピンではなく、図７に示すようなタッピングネジに変更してもよい。これにより第一実施形態と同様、吊設フレーム３を任意の角度で固定することができる。
【００４２】
次に、本第二実施形態の控え金具１Ｂにおける各構成の作用について説明する。
【００４３】
本第二実施形態では、図１７に示すように、吊設フレーム３を吊設ナット５の軸方向に対して略直角方向にまで回動させて、吊設ナット５の後端部の全体を露出させる。これにより、吊設ナット５は、第一実施形態における回転頭部２１と同様、吊設ナット５の後端部にソケットレンチ、メガネレンチ、スパナ等の締結工具を係合させることができる。
【００４４】
よって、本第二実施形態の控え金具１Ｂは、天井に設けられたインサートボルト等のインサートアンカー１０等に螺合することができとともに、第一実施形態と同様の効果を得ることができる。
【００４５】
なお、本発明に係る控え金具は、前述した各実施形態に限定されるものではなく、適宜変更することができる。
【００４６】
例えば、図示しないが、回転頭部２１または吊設ナット５とアーム部３２との接触面に、軸部材支持孔２２または挿通孔３５を中心とした放射状に凹凸面を形成するようにしてもよい。前記凹凸面同士を嵌め合わせることで、吊設フレーム３の角度を固定した後の接触面同士の滑りをなくすことができる。
【符号の説明】
【００４７】
１  控え金具
２  吊設ボルト
３  吊設フレーム
４  軸部材
５  吊設ナット
１０  インサートアンカー
１１  連結ボルト
２１  回転頭部
２２  軸部材支持孔
２３  リセス
３１  ネジ孔部
３２  アーム部
３３  フレーム体
３４  六角ナット
３５  挿通孔
４１  ネジ軸部
【要約】
【課題】  ソケットレンチ、メガネレンチ、スパナ等の締結工具によって締結することができるとともに、耐衝撃性に強く、さらには締結部材を任意の角度で固定することができる、控え金具を提供する。
【解決手段】  締結部材を控えるための控え金具１Ａであって、締結工具に係合可能な回転頭部２１を有する吊設ボルト２と、前記締結部材を螺合させて控えるネジ孔部３１およびこのネジ孔部３１の軸線方向に延出されて前記回転頭部２１を狭持してなる２本のアーム部３２，３２を備えた吊設フレーム３とを有しており、前記各アーム部３２，３２が前記回転頭部２１の側面において軸部材４により回動自在に軸支されている。
【選択図】  図１【図１】
0005916182.tif 000002
【図２】
0005916182.tif 000003
【図３】
0005916182.tif 000004
【図４】
0005916182.tif 000005
【図５】
0005916182.tif 000006
【図６】
0005916182.tif 000007
【図７】
0005916182.tif 000008
【図８】
0005916182.tif 000009
【図９】
0005916182.tif 000010
【図１０】
0005916182.tif 000011
【図１１】
0005916182.tif 000012
【図１２】
0005916182.tif 000013
【図１３】
0005916182.tif 000014
【図１４】
0005916182.tif 000015
【図１５】
0005916182.tif 000016
【図１６】
0005916182.tif 000017
【図１７】
0005916182.tif 000018